(57)【要約】【課題】複数の信号電極間のクロストークを低減すること。【解決手段】貫通コンデンサアレイは、誘電体素体の表面に形成された第１のグランド端子電極、第２のグランド端子電極、２つの第１の信号端子電極、及び２つの第２の信号端子電極とを備える。誘電体素体には、第１及び第２のグランド電極３３，３４，３７，３８と第１及び第２の信号電極３５，３６とを備える。第１のグランド電極３３，３７と第１の信号電極３５とは誘電体層２３，２４を介して互いに対向し、第２のグランド電極３４，３８と第２の信号電極３６とは誘電体層２３，２４を介して互いに対向する。第１の信号電極３５と第２のグランド電極３４，３８とは、対向方向において互いに重なり合わないように配置され、第２の信号電極３６と第１のグランド電極３３，３７とは、対向方向において互いに重なり合わないように配置されている。【選択図】図２
2008147581.tif 000002
【特許請求の範囲】
【請求項１】
直方体形状の誘電体素体と、
前記誘電体素体の一部を介して互いに対向するように配置された第１の信号電極及び第１のグランド電極と、
前記第１の信号電極及び前記第１のグランド電極が対向する対向方向で、前記誘電体素体の一部を介して互いに対向するように配置された第２の信号電極及び第２のグランド電極と、
前記誘電体素体の表面に配置され、前記第１の信号電極と電気的且つ物理的にそれぞれ接続された少なくとも２つの第１の信号端子電極と、
前記誘電体素体の表面に配置され、前記第２の信号電極と電気的且つ物理的にそれぞれ接続された少なくとも２つの第２の信号端子電極と、
前記誘電体素体の表面に配置され、前記第１のグランド電極と電気的且つ物理的に接続された第１のグランド端子電極と、
前記誘電体素体の表面に配置され、前記第２のグランド電極と電気的且つ物理的に接続された第２のグランド端子電極と、
を備え、
前記第１の信号電極と前記第２のグランド電極とは、前記対向方向において互いに重ならないように配置され、
前記第２の信号電極と前記第１のグランド電極とは、前記対向方向において互いに重ならないように配置されていることを特徴とする貫通コンデンサアレイ。
【請求項２】
前記第１の信号電極と前記第２の信号電極とは、前記対向方向に対して垂直な方向で互いに隣り合うように配置され、
前記第１のグランド電極と前記第２のグランド電極とは、前記対向方向に対して垂直な方向で互いに隣り合うように配置されていることを特徴とする請求項１に記載の貫通コンデンサアレイ。
【請求項３】
前記誘電体素体は、前記対向方向に対して垂直な一方向に長い直方体形状であり、
前記少なくとも２つの第１の信号端子電極及び前記第１のグランド端子電極は、前記誘電体素体において前記一方向に長い側面に配置され、
前記少なくとも２つの第２の信号端子電極及び前記第２のグランド端子電極は、前記誘電体素体において前記側面と互いに対向する側面に配置されていることを特徴とする請求項１又は２に記載の貫通コンデンサアレイ。
【請求項４】
前記第１の信号電極と前記第２の信号電極との少なくとも一方は、前記一方向に長い長方形状であることを特徴とする請求項３に記載の貫通コンデンサアレイ。
【請求項５】
前記第１の信号電極は、両端部から引き出された２つの引き出し部を有し、
前記第１の信号電極が有する２つの引き出し部は、前記少なくとも２つの第１の信号端子電極のうち対応する信号端子電極と電気的且つ物理的にそれぞれ接続されていることを特徴とする請求項１〜４のいずれか１項に記載の貫通コンデンサアレイ。
【請求項６】
前記第２の信号電極は、両端部から引き出された２つの引き出し部を有し、
前記第２の信号電極が有する２つの引き出し部は、前記少なくとも２つの第２の信号端子電極のうち対応する信号端子電極と電気的且つ物理的にそれぞれ接続されていることを特徴とする請求項１〜５のいずれか１項に記載の貫通コンデンサアレイ。
【請求項７】
前記第１のグランド電極と前記第２のグランド電極との少なくとも一方のグランド電極は、対応する前記第１のグランド端子電極又は前記第２のグランド端子電極と電気的且つ物理的にそれぞれ接続する複数の引き出し部を有することを特徴とする請求項１〜６のいずれか１項に記載の貫通コンデンサアレイ。
【請求項８】
前記第１の信号電極と前記第２の信号電極とは、対応する前記少なくとも２つの第１の信号端子電極又は前記少なくとも２つの第２の信号端子電極と電気的且つ物理的に接続する少なくとも２つの引き出し部をそれぞれ有し、
前記第１のグランド電極と前記第２のグランド電極とは、対応する前記第１のグランド端子電極又は前記第２のグランド端子電極と電気的且つ物理的に接続する引き出し部をそれぞれ有し、
前記第１のグランド電極又は前記第２のグランド電極が有する引き出し部の幅は、前記第１の信号電極及び前記第２の信号電極が有する引き出し部の幅より広いことを特徴とする請求項１〜４のいずれか１項に記載の貫通コンデンサアレイ。
【請求項９】
前記誘電体素体の一部を介して前記第１のグランド電極と前記第２のグランド電極との少なくとも一方に対向して配置されたコンデンサ電極を備え、
前記コンデンサ電極は、前記第１の信号端子電極又は第２の信号端子電極と電気的且つ物理的に接続されていることを特徴とする請求項１〜８のいずれか１項に記載の貫通コンデンサアレイ。
【発明の詳細な説明】
【技術分野】
【０００１】
本発明は、貫通コンデンサアレイに関する。
【背景技術】
【０００２】
この種の貫通コンデンサアレイとして、信号ラインに接続するために素体を貫通するように形成された複数の信号電極と、グランドに接続するためのグランド電極とが、素体に形成され、ノイズフィルタとして機能する貫通コンデンサアレイが知られている。例えば、特許文献１には、ライン状の信号電極が形成された複数のセラミック層と、グランド電極が形成された複数のセラミック層とを交互に積層して形成された貫通コンデンサアレイについて開示されている。
【特許文献１】特開平１１−９７２９１号公報
【発明の開示】
【発明が解決しようとする課題】
【０００３】
特許文献１に記載された貫通コンデンサアレイでは、２つの信号電極の間に配置され、２つの信号電極の双方に対して重なり合うグランド電極を介して、２つの信号電極間のクロストークが発生する。
【０００４】
そこで本発明は、複数の信号電極間のクロストークを低減することが可能な貫通コンデンサアレイを提供することを目的とする。
【課題を解決するための手段】
【０００５】
本発明の貫通コンデンサアレイは、直方体形状の誘電体素体と、誘電体素体の一部を介して互いに対向するように配置された第１の信号電極及び第１のグランド電極と、第１の信号電極及び第１のグランド電極が対向する対向方向で、誘電体素体の一部を介して互いに対向するように配置された第２の信号電極及び第２のグランド電極と、誘電体素体の表面に配置され、第１の信号電極と電気的且つ物理的にそれぞれ接続された少なくとも２つの第１の信号端子電極と、誘電体素体の表面に配置され、第２の信号電極と電気的且つ物理的にそれぞれ接続された少なくとも２つの第２の信号端子電極と、誘電体素体の表面に配置され、第１のグランド電極と電気的且つ物理的に接続された第１のグランド端子電極と、誘電体素体の表面に配置され、第２のグランド電極と電気的且つ物理的に接続された第２のグランド端子電極と、を備え、第１の信号電極と第２のグランド電極とは、対向方向において互いに重ならないように配置され、第２の信号電極と第１のグランド電極とは、対向方向において互いに重ならないように配置されていることを特徴とする。
【０００６】
本発明の貫通コンデンサアレイでは、第１のグランド端子電極を介して第１のグランド電極がグランドと電気的に接続されることにより、第１のグランド電極と対向して配置された第１の信号電極を流れる信号のノイズを除去する。同様に、第２のグランド端子電極を介して第２のグランド電極がグランドと電気的に接続されることにより、第１のグランド電極と対向して配置された第２の信号電極を流れる信号のノイズを除去する。そして、第１の信号電極と第２のグランド電極とは対向方向において互いに重ならないように配置され、第２の信号電極と第１のグランド電極とは対向方向において互いに重ならないように配置されているので、第１又は第２のグランド電極を介して、第１の信号電極と第２の信号電極との間に発生するクロストークを低減できる。
【０００７】
好ましくは、第１の信号電極と第２の信号電極とは、対向方向に対して垂直な方向で互いに隣り合うように配置され、第１のグランド電極と第２のグランド電極とは、対向方向に対して垂直な方向で互いに隣り合うように配置されている。これにより、クロストークの発生を低減しつつ、第１及び第２の信号電極と第１及び第２のグランド電極とを誘電体素体に効率良く配置し、小型化を実現することができる。
【０００８】
好ましくは、誘電体素体は、対向方向に対して垂直な一方向に長い直方体形状であり、少なくとも２つの第１の信号端子電極及び第１のグランド端子電極は、誘電体素体において一方向に長い側面に配置され、少なくとも２つの第２の信号端子電極及び第２のグランド端子電極は、誘電体素体において上記側面と互いに対向する側面に配置されている。これにより、第１及び第２の信号端子電極と第１及び第２のグランド端子電極とを誘電体素体の表面に対称的に配置することができる。
【０００９】
好ましくは、第１の信号電極と第２の信号電極との少なくとも一方は、一方向に長い長方形状である。これにより、第１又は第２の信号電極において、第１又は第２の信号端子電極間の長さを比較的長くすることができ、第１又は第２の信号電極により抵抗成分を形成することとなる。よって、長く形成された第１又は第２の信号電極を含む回路において、ＣＲ回路を構成するＣＲ複合コンデンサとすることができる。
【００１０】
好ましくは、第１の信号電極は、両端部から引き出された２つの引き出し部を有し、第１の信号電極が有する２つの引き出し部は、少なくとも２つの第１の信号端子電極のうち対応する信号端子電極と電気的且つ物理的にそれぞれ接続されている。これにより、第１の信号電極において、第１の信号端子電極間の長さを比較的長くすることができ、第１の信号電極により抵抗成分を形成することとなる。よって、両端部に引き出し部が形成された第１の信号電極を含む回路において、ＣＲ回路を構成するＣＲ複合コンデンサとすることができる。
【００１１】
好ましくは、第２の信号電極は、両端部から引き出された２つの引き出し部を有し、第２の信号電極が有する２つの引き出し部は、少なくとも２つの第２の信号端子電極のうち対応する信号端子電極と電気的且つ物理的にそれぞれ接続されている。これにより、第２の信号電極において、第２の信号端子電極間の長さを比較的長くすることができ、第２の信号電極により抵抗成分を形成することとなる。よって、両端部に引き出し部が形成された第２の信号電極を含む回路において、ＣＲ回路を構成するＣＲ複合コンデンサとすることができる。
【００１２】
好ましくは、第１のグランド電極と第２のグランド電極との少なくとも一方のグランド電極は、対応する第１のグランド端子電極又は第２のグランド端子電極と電気的且つ物理的にそれぞれ接続する複数の引き出し部を有する。これにより、第１又は第２のグランド端子電極へ流れる電流を複数の引き出し部に分割して流すことができるので、引き出し部に発生する寄生インダクタンスを低減することができる。
【００１３】
好ましくは、第１の信号電極と第２の信号電極とは、対応する少なくとも２つの第１の信号端子電極又は少なくとも２つの第２の信号端子電極と電気的且つ物理的に接続する少なくとも２つの引き出し部をそれぞれ有し、第１のグランド電極と第２のグランド電極とは、対応する第１のグランド端子電極又は第２のグランド端子電極と電気的且つ物理的に接続する引き出し部をそれぞれ有し、第１のグランド電極又は第２のグランド電極が有する引き出し部の幅は、第１の信号電極及び第２の信号電極が有する引き出し部の幅より広い。これにより、第１又は第２のグランド電極が有する引き出し部の断面積が比較的大きくなるので、この引き出し部に発生する寄生インダクタンスを低減することができる。
【００１４】
好ましくは、誘電体素体の一部を介して第１のグランド電極と第２のグランド電極との少なくとも一方に対向して配置されたコンデンサ電極を備え、コンデンサ電極は、第１の信号端子電極又は第２の信号端子電極と電気的且つ物理的に接続されている。これにより、コンデンサ成分が形成されるので、このコンデンサ電極を含む回路において、より広帯域においてインピーダンスを低くすることができる。
【発明の効果】
【００１５】
本発明の貫通コンデンサアレイによれば、複数の信号電極間のクロストークを低減することができる。
【発明を実施するための最良の形態】
【００１６】
以下、添付図面を参照して、本発明の好適な実施形態について詳細に説明する。なお、説明において、同一要素又は同一機能を有する要素には、同一符号を用いることとし、重複する説明は省略する。
（第１の実施形態）
【００１７】
図１は、第１の実施形態に係る貫通コンデンサアレイを示す概略斜視図である。図１に示すように、本実施形態に係る貫通コンデンサアレイ１は、略直方体形状の誘電体素体２と、誘電体素体２の表面に互いに絶縁して配置された第１のグランド端子電極３、２つの第１の信号端子電極４ａ，４ｂ、第２のグランド端子電極５、及び２つの第２の信号端子電極６ａ，６ｂと、を備える。
【００１８】
貫通コンデンサアレイ１は、第１のグランド端子電極３がグランドに接続され、第１の信号端子電極４ａ，４ｂを介して第１の信号ライン（図示せず）に直列に接続されて、第１の信号ラインを流れる信号のノイズフィルタとして機能する。同様に、第２のグランド端子電極５がグランドに接続され、第２の信号端子電極６ａ，６ｂを介して第２の信号ライン（図示せず）に直列に接続されて、第２の信号ラインを流れる信号のノイズフィルタとして機能する。このように、貫通コンデンサアレイ１は、ノイズフィルタとして機能する２組の回路を構成している。
【００１９】
誘電体素体２は、互いに対向する主面２ａ及び主面２ｂと、主面２ａ，２ｂに垂直で互いに対向する側面２ｃ及び側面２ｄと、主面２ａ，２ｂ及び側面２ｃ，２ｄに垂直で誘電体素体２の長手方向で互いに対向する端面２ｅ及び２ｆとを有する。
【００２０】
第１のグランド端子電極３は、側面２ｄの中央部に形成され、主面２ａと主面２ｂとが対向する方向に延びて主面２ａ及び主面２ｂまではみ出るように形成されている。２つの第１の信号端子電極４ａ，４ｂは、側面２ｄにおいて第１のグランド端子電極３の両側に形成され、主面２ａと主面２ｂとが対向する方向に延びて主面２ａ及び主面２ｂまではみ出るように形成されている。第１の信号端子電極４ａは端面２ｆ側に形成され、第１の信号端子電極４ｂは端面２ｅ側に形成されている。第１のグランド端子電極３の幅（誘電体素体２の長手方向の幅）は、第１の信号端子電極４ａ，４ｂの幅より広く形成されている。
【００２１】
第２のグランド端子電極５は、側面２ｃの中央部に形成され、主面２ａと主面２ｂとが対向する方向に延びて主面２ａ及び主面２ｂまではみ出るように形成されている。２つの第２の信号端子電極６ａ，６ｂは、側面２ｃにおいて第２のグランド端子電極５の両側に形成され、主面２ａと主面２ｂとが対向する方向に延びて主面２ａ及び主面２ｂまではみ出るように形成されている。第２の信号端子電極６ａは端面２ｆ側に形成され、第２の信号端子電極６ｂは端面２ｅ側に形成されている。第２のグランド端子電極５の幅（誘電体素体２の長手方向の幅）は、第２の信号端子電極６ａ，６ｂの幅より広く形成されている。
【００２２】
第１のグランド端子電極３及び第１の信号端子電極４ａ，４ｂと、第２のグランド端子電極５及び第２の信号端子電極６ａ，６ｂとは、誘電体素体２において長手方向に延びて互いに対向する側面２ｃ，２ｄにそれぞれ配置されている。これらの第１及び第２のグランド端子電極３，５、第１及び第２の信号端子電極４ａ，４ｂ，６ａ，６ｂは、Ｃｕ又はＡｇの焼付電極であり、その表面には、Ｎｉめっき層及びＳｕめっき層が形成されている。
【００２３】
図２は、第１の実施形態に係る貫通コンデンサアレイに含まれる誘電体素体及びその内部に形成された電極の構成を示す模式図である。図２に示すように、誘電体素体２は、長方形状の誘電体層２１〜２７を順に主面２ａ，２ｂが対向する方向に積層して略直方体形状に形成されている。説明の便宜上、誘電体層２１〜２７を用いて説明するが、実際の貫通コンデンサアレイ１では、誘電体層２１〜２７の間の境界が視認できない程度に一体化されている。各誘電体層２１〜２７が誘電体素体２の一部に相当する。誘電体素体２は、ＢａＴｉＯ３系セラミック等の誘電体材料で形成されている。貫通コンデンサアレイ１は、誘電体素体２に形成されたコンデンサ電極３１，３２、第１のグランド電極３３、第２のグランド電極３４、第１の信号電極３５、第２の信号電極３６、第１のグランド電極３７、第２のグランド電極３８、コンデンサ電極３９，４０を含んで構成される。これらの電極は、例えば、Ｎｉ又はＮｉ合金等で形成されている。
【００２４】
引き続いて、誘電体素体２に形成されたこれらの電極について説明する。説明のために、各誘電体層２１〜２７を側面２ｃに平行な面と端面２ｅに平行な面とによって４等分し、それぞれ、側面２ｄ及び端面２ｆ側の領域を領域Ａ、側面２ｄ及び端面２ｅ側の領域を領域Ｂ、側面２ｃ及び端面２ｆ側の領域を領域Ｃ、側面２ｃ及び端面２ｅ側の領域を領域Ｄとする。
【００２５】
誘電体層２２には、互いに絶縁された２つのコンデンサ電極３１，３２が形成されている。コンデンサ電極３１，３２は、誘電体層２１〜２７の積層方向及び誘電体素体２の長手方向と垂直な方向に互いに隣り合うように配置されている。
【００２６】
コンデンサ電極３１は、領域Ａに矩形状に形成されている。コンデンサ電極３１は、端面２ｆ側の端から側面２ｄ側に引き出された引き出し部３１ａを有する。引き出し部３１ａが側面２ｄに配置された第１の信号端子電極４ａと電気的且つ物理的に接続されることにより、コンデンサ電極３１は、第１の信号端子電極４ａと電気的且つ物理的に接続されている。
【００２７】
コンデンサ電極３２は、領域Ｃに矩形状に形成されている。コンデンサ電極３２は、端面２ｆ側の端から側面２ｃ側に引き出された引き出し部３２ａを有する。引き出し部３２ａが側面２ｃに配置された第２の信号端子電極６ａと電気的且つ物理的に接続されることにより、コンデンサ電極３２は、第２の信号端子電極６ａと電気的且つ物理的に接続されている。
【００２８】
誘電体層２３には、互いに絶縁された第１のグランド電極３３と第２のグランド電極３４とが形成されている。第１のグランド電極３３と第２のグランド電極３４とは、誘電体層２１〜２７の積層方向及び誘電体素体２の長手方向と垂直な方向に互いに隣り合うように配置されている。
【００２９】
第１のグランド電極３３は、領域Ａ及び領域Ｂに長方形状に形成され、その長手方向が誘電体素体２の長手方向に沿って形成されている。第１のグランド電極３３は、側面２ｄ側の中央部から側面２ｄ側に引き出された引き出し部３３ａを有する。引き出し部３３ａが側面２ｄに配置された第１のグランド端子電極３と電気的且つ物理的に接続されることにより、第１のグランド電極３３は、第１のグランド端子電極３と電気的且つ物理的に接続されている。
【００３０】
第２のグランド電極３４は、領域Ｃ及び領域Ｄに長方形状に形成され、その長手方向が誘電体素体２の長手方向に沿って形成されている。第２のグランド電極３４は、側面２ｃ側の中央部から側面２ｃ側に引き出された引き出し部３４ａを有する。引き出し部３４ａが側面２ｃに配置された第２のグランド端子電極５と電気的且つ物理的に接続されることにより、第２のグランド電極３４は、第２のグランド端子電極５と電気的且つ物理的に接続されている。
【００３１】
誘電体層２２と誘電体層２３とが積層されることにより、第１のグランド電極３３は、誘電体層２２を介してコンデンサ電極３１と互いに対向し、第１のグランド電極３３の領域Ａの部分３３ｃとコンデンサ電極３１とが互いに重なり合う。同様に、誘電体層２２と誘電体層２３とが積層されることにより、第２のグランド電極３４は、誘電体層２２を介してコンデンサ電極３２と互いに対向し、第２のグランド電極３４の領域Ｃの部分３４ｃとコンデンサ電極３２とが互いに重なり合う。
【００３２】
誘電体層２４には、互いに絶縁された第１の信号電極３５と第２の信号電極３６とが形成されている。第１の信号電極３５と第２の信号電極３６とは、誘電体層２１〜２７の積層方向及び誘電体素体２の長手方向と垂直な方向に互いに隣り合うように配置されている。
【００３３】
第１の信号電極３５は、領域Ａ及び領域Ｂに長方形状に形成され、その長手方向が誘電体素体２の長手方向に沿って形成されている。第１の信号電極３５は、端面２ｅ側と端面２ｆ側の両端部から側面２ｄ側へそれぞれ引き出された２つの引き出し部３５ａ，３５ｂを有する。引き出し部３５ａ，３５ｂが側面２ｄに配置された２つの第１の信号端子電極４ａ，４ｂと電気的且つ物理的にそれぞれ接続されることにより、第１の信号電極３５は、２つの第１の信号端子電極４ａ，４ｂと電気的且つ物理的に接続されている。
【００３４】
第２の信号電極３６は、領域Ｃ及び領域Ｄに長方形状に形成され、その長手方向が誘電体素体２の長手方向に沿って形成されている。第２の信号電極３６は、端面２ｅ側と端面２ｆ側の両端部から側面２ｃ側へそれぞれ引き出された２つの引き出し部３６ａ，３６ｂを有する。引き出し部３６ａ，３６ｂが側面２ｃに配置された２つの第２の信号端子電極６ａ，６ｂと電気的且つ物理的にそれぞれ接続されることにより、第２の信号電極３６は、２つの第２の信号端子電極６ａ，６ｂと電気的且つ物理的に接続されている。
【００３５】
誘電体層２３と誘電体層２４とが積層されることにより、第１の信号電極３５は、第１のグランド電極３３と対向し、互いに重なり合う。同様に、誘電体層２３と誘電体層２４とが積層されることにより、第２の信号電極３６は、第２のグランド電極３４と対向し、互いに重なり合う。
【００３６】
誘電体層２５には、互いに絶縁された第１のグランド電極３７と第２のグランド電極３８とが形成されている。第１のグランド電極３７と第２のグランド電極３８とは、誘電体層２１〜２７の積層方向及び誘電体素体２の長手方向と垂直な方向に互いに隣り合うように配置されている。
【００３７】
第１のグランド電極３７は、領域Ａ及び領域Ｂに長方形状に形成され、その長手方向が誘電体素体２の長手方向に沿って形成されている。第１のグランド電極３７は、側面２ｄ側の中央部から側面２ｄ側に引き出された引き出し部３７ａを有する。引き出し部３７ａが側面２ｄに配置された第１のグランド端子電極３と電気的且つ物理的に接続されることにより、第１のグランド電極３７は、第１のグランド端子電極３と電気的且つ物理的に接続されている。
【００３８】
第２のグランド電極３８は、領域Ｃ及び領域Ｄに長方形状に形成され、その長手方向が誘電体素体２の長手方向に沿って形成されている。第２のグランド電極３８は、側面２ｃ側の中央部から側面２ｃ側に引き出された引き出し部３８ａを有する。引き出し部３８ａが側面２ｃに配置された第２のグランド端子電極５と電気的且つ物理的に接続されることにより、第２のグランド電極３８は、第２のグランド端子電極５と電気的且つ物理的に接続されている。
【００３９】
誘電体層２４と誘電体層２５とが積層されることにより、第１のグランド電極３７は、第１の信号電極３５と対向し、互いに重なり合う。同様に、誘電体層２４と誘電体層２５とが積層されることにより、第２のグランド電極３８は、第２の信号電極３６と対向し、互いに重なり合う。
【００４０】
誘電体層２６には、互いに絶縁された２つのコンデンサ電極３９，４０が形成されている。コンデンサ電極３９，４０は、誘電体層２１〜２７の積層方向と及び誘電体素体２の長手方向と垂直な方向に互いに隣り合うように配置されている。
【００４１】
コンデンサ電極３９は、領域Ｂに矩形状に形成されている。コンデンサ電極３９は、端面２ｅ側の端から側面２ｄ側に引き出された引き出し部３９ａを有する。引き出し部３９ａが側面２ｄに配置された第１の信号端子電極４ｂと電気的且つ物理的に接続されることにより、コンデンサ電極３９は、第１の信号端子電極４ｂと電気的且つ物理的に接続されている。
【００４２】
コンデンサ電極４０は、領域Ｄに矩形状に形成されている。コンデンサ電極４０は、端面２ｅ側の端から側面２ｃ側に引き出された引き出し部４０ａを有する。引き出し部４０ａが側面２ｃに配置された第２の信号端子電極６ｂと電気的且つ物理的に接続されることにより、コンデンサ電極４０は、第２の信号端子電極６ｂと電気的且つ物理的に接続されている。
【００４３】
誘電体層２５と誘電体層２６とが積層されることにより、コンデンサ電極３９は、誘電体層２５を介して第１のグランド電極３７と互いに対向し、第１のグランド電極３７の領域Ｂの部分３７ｃとコンデンサ電極３９とが互いに重なり合う。同様に、誘電体層２５と誘電体層２６とが積層されることにより、コンデンサ電極４０は、誘電体層２５を介して第２のグランド電極３８と互いに対向し、第２のグランド電極３８の領域Ｄの部分３８ｃとコンデンサ電極４０とが互いに重なり合う。
【００４４】
誘電体層２１〜２７の積層方向、第１のグランド電極３３，３７と第１の信号電極３５との対向方向、及び第２のグランド電極３４，３８と第２の信号電極３６との対向方向は、互いに平行である。この対向方向は、誘電体素体２の長手方向と垂直となる。第１のグランド電極３３，３７と第２の信号電極３６とは、上記対向方向において互いに重ならないように配置され、第２のグランド電極３４，３８と第１の信号電極３５とは、上記対向方向において互いに重ならないように配置されている。
【００４５】
第１のグランド電極３３，３７及び第２のグランド電極３４，３８の引き出し部３３ａ，３７ａ，３４ａ，３８ａの幅（誘電体素体２の長手方向の幅）Ｄ１は、コンデンサ電極３１，３２，３９，４０及び第１の信号電極３５及び第２の信号電極３６の引き出し部３１ａ，３２ａ，３９ａ，４０ａ，３５ａ，３５ｂ，３６ａ，３６ｂの幅Ｄ２より広い。
【００４６】
上述したように構成された貫通コンデンサアレイ１は、ＲＣ回路を構成する。図３は、第１の実施形態に係る貫通コンデンサアレイの等価回路図である。図３に示すように、第１の信号電極３５によって、抵抗成分Ｒ１が構成されている。第２の信号電極３６によって、抵抗成分Ｒ２が構成されている。
【００４７】
誘電体層２２を介して互いに対向するコンデンサ電極３１と第１のグランド電極３３の部分３３ｃとによって、コンデンサ成分Ｃ１が構成されている。誘電体層２２を介して互いに対向するコンデンサ電極３２と第２のグランド電極３４の部分３４ｃとによって、コンデンサ成分Ｃ２が構成されている。誘電体層２５を介して互いに対向するコンデンサ電極３９と第１のグランド電極３７の部分３７ｃとによって、コンデンサ成分Ｃ３が構成されている。誘電体層２５を介して互いに対向するコンデンサ電極４０と第２のグランド電極３８の部分３８ｃとによって、コンデンサ成分Ｃ４が構成されている。コンデンサ成分Ｃ１及びコンデンサ成分Ｃ３は、抵抗成分Ｒ１と並列接続され、コンデンサ成分Ｃ２及びコンデンサ成分Ｃ４は、抵抗成分Ｒ２と並列接続されている。
【００４８】
貫通コンデンサアレイ１において、第１のグランド端子電極３及び第１の信号端子電極４ａ，４ｂと、誘電体素体２における領域Ａ，Ｂに形成されたコンデンサ電極３１，３９、第１のグランド電極３３，３７、及び第１の信号電極３５とによって１組の回路を構成する。同様に、貫通コンデンサアレイ１において、第２のグランド端子電極５及び第２の信号端子電極６ａ，６ｂと、誘電体素体２における領域Ｃ，Ｄに形成されたコンデンサ電極３２，４０、第１のグランド電極３４，３８、及び第２の信号電極３６とによって１組の回路を構成する。この２組の回路のうち一方の回路に含まれる電極は、対向方向（積層方向）において、他方の回路に含まれる電極と重なり合わないように配置されている。
【００４９】
以上のように構成した貫通コンデンサアレイ１を製造する場合には、まずＢａＴｉＯ３系セラミック等のセラミック粉体、有機バインダ及び溶剤を含むセラミックペースト準備する。このセラミックペーストをドクターブレード法によりＰＥＴフィルム上に塗布することにより、上記の誘電体層２１〜２７となる長方形状のグリーンシートを複数枚作製する。このグリーンシートを乾燥させた後、スクリーン印刷法を用いて、グリーンシートの上面にコンデンサ電極３１，３２、第１のグランド電極３３、第２のグランド電極３４、第１の信号電極３５、第２の信号電極３６、第１のグランド電極３７、第２のグランド電極３８、コンデンサ電極３９，４０となる電極を形成する。
【００５０】
続いて、電極が形成されたグリーンシートを所定の順序で積層し、更に単なるグリーンシートを積層することによりグリーン積層体を形成する。続いて、グリーン積層体をプレス加工した後、グリーン積層体の脱バインダ処理及び焼成処理を行うことにより、上記の誘電体素体２を得る。最後に、例えばペースト浸漬法及び電気めっき法により、誘電体素体２の表面に第１及び第２のグランド端子電極３，５と第１及び第２の信号端子電極４ａ，４ｂ，６ａ，６ｂを形成する。以上により、上記の貫通コンデンサアレイ１が完成する。
【００５１】
以上説明した貫通コンデンサアレイ１では、第１のグランド端子電極３を介して第１のグランド電極３３，３７がグランドと電気的に接続されることにより、第１のグランド電極３３，３７と対向して配置された第１の信号電極３５を流れる信号のノイズを除去する。同様に、第２のグランド端子電極５を介して第２のグランド電極３４，３８がグランドと電気的に接続されることにより、第２のグランド電極３４，３８と対向して配置された第２の信号電極３６を流れる信号のノイズを除去する。そして、第１の信号電極３５と第２のグランド電極３４，３８とは上述した対向方向において互いに重ならないように配置され、第２の信号電極３６と第１のグランド電極３３，３７とは上述した対向方向において互いに重ならないように配置されているので、第１又は第２のグランド電極３３，３４，３７，３８を介して、第１の信号電極３５と第２の信号電極３６との間に発生するクロストークを低減できる。
【００５２】
本実施形態の貫通コンデンサアレイ１では、第１の信号電極３５と第２の信号電極３６とは、上述した対向方向に対して垂直な方向で互いに隣り合うように配置され、第１のグランド電極３３，３７と第２のグランド電極３４，３８とは、上述した対向方向に対して垂直な方向で互いに隣り合うように配置されている。これにより、クロストークの発生を低減しつつ、第１及び第２の信号電極３５，３６と第１及び第２のグランド電極３３，３４，３７，３８とを誘電体素体２に効率良く配置し、小型化を実現することができる。
【００５３】
本実施形態の貫通コンデンサアレイ１では、誘電体素体２は、上述した対向方向に対して垂直な一方向に長い直方体形状であり、２つの第１の信号端子電極４ａ，４ｂ及び第１のグランド端子電極３は、誘電体素体２において上記一方向に長い側面２ｄに配置され、２つの第２の信号端子電極６ａ，６ｂ及び第２のグランド端子電極５は、誘電体素体２において側面２ｄと互いに対向する側面２ｃに配置されている。これにより、第１及び第２の信号端子電極４ａ，４ｂ，６ａ，６ｂと第１及び第２のグランド端子電極３，４とを誘電体素体２の表面に対称的に配置することができる。
【００５４】
本実施形態の貫通コンデンサアレイ１では、第１の信号電極３５及び第２の信号電極３６が、一方向に長い長方形状である。これにより、第１及び第２の信号電極３５，３６において、第１及び第２の信号端子電極４ａ，４ｂ，６ａ，６ｂ間の長さを比較的長くすることができ、第１又は第２の信号電極３５，３６により抵抗成分Ｒ１，Ｒ２を形成することとなる。よって、ＣＲ回路を構成するＣＲ複合コンデンサとすることができる。
【００５５】
本実施形態の貫通コンデンサアレイ１では、第１の信号電極３５は、両端部から引き出された２つの引き出し部３５ａ，３５ｂを有し、第１の信号電極３５が有する２つの引き出し部３５ａ，３５ｂは、２つの第１の信号端子電極４ａ，４ｂと電気的且つ物理的にそれぞれ接続されている。第２の信号電極３６は、両端部から引き出された２つの引き出し部３６ａ，３６ｂを有し、第２の信号電極３６が有する２つの引き出し部３６ａ，３６ｂは、２つの第２の信号端子電極６ａ，６ｂと電気的且つ物理的にそれぞれ接続されている。これにより、第１及び第２の信号電極３５，３６において、第１及び第２の信号端子電極間４ａ，４ｂ，６ａ，６ｂ間の長さを比較的長くすることができ、第１又は第２の信号電極３５，３６により抵抗成分Ｒ１，Ｒ２を形成することとなる。よって、ＣＲ回路を構成するＣＲ複合コンデンサとすることができる。
【００５６】
本実施形態の貫通コンデンサアレイ１では、第１のグランド電極３３，３７及び第２のグランド電極３４，３８が有する引き出し部３３ａ，３４ａ，３７ａ，３８ａの幅Ｄ１は、第１の信号電極３５及び第２の信号電極３６が有する引き出し部３５ａ，３５ｂ，３６ａ，３６ｂの幅Ｄ２より広い。これにより、第１及び第２のグランド電極３３，３７，３４，３８が有する引き出し部３３ａ，３７ａ，３４ａ，３８ａの断面積が比較的大きくなるので、貫通コンデンサアレイ１において、引き出し部に発生する寄生インダクタンスを低減することができる。
【００５７】
本実施形態の貫通コンデンサアレイ１では、誘電体層２３，２６を介して第１のグランド電極３３，３７及び第２のグランド電極３４，３８と対向して配置されたコンデンサ電極３１，３２，３９，４０を備え、コンデンサ電極３１，３２，３９，４０は、第１の信号端子電極４ａ，４ｂ又は第２の信号端子電極６ａ，６ｂと電気的且つ物理的に接続されている。これにより、コンデンサ成分Ｃ１〜Ｃ４が形成されるので、より広帯域においてインピーダンスを低くすることができる。
【００５８】
図４は、第１の実施形態に係る貫通コンデンサアレイの減衰特性を示すグラフである。図４において、実線Ｌ１は、本実施形態に係る貫通コンデンサアレイ１の減衰特性を示し、破線Ｌ２は、比較例に係る貫通コンデンサアレイの減衰特性を示す。比較例に係る貫通コンデンサアレイは、コンデンサ電極３１，３２，３９，４０を備えず、コンデンサ成分Ｃ１〜Ｃ４を有していない点以外は、貫通コンデンサアレイ１と同様な構成である。図４に示すように、本実施形態の貫通コンデンサアレイ１は、コンデンサ電極３１，３２，３９，４０を備えることによりコンデンサ成分Ｃ１〜Ｃ４を形成し、比較例に係る貫通コンデンサアレイより、高周波領域において良好な減衰特性を示す。
【００５９】
本実施形態の貫通コンデンサアレイ１では、第１及び第２の信号電極３５，３６が形成された面に対して対称に、コンデンサ電極３１，３２，３９，４０、第１及び第２のグランド電極３３，３４，３７，３８、第１及び第２のグランド端子電極３，５、第１及び第２の信号端子電極４ａ，４ｂ，６ａ，６ｂが配置されている。よって、主面２ａと主面２ｂとが対向する方向に貫通コンデンサアレイ１を反転させて基板に搭載しても同様な性能を得ることができる。
【００６０】
貫通コンデンサアレイ１は、図５に示すように、コンデンサ電極３９，４０が誘電体層２２の領域Ｂ，Ｄにそれぞれ形成され、誘電体層２５，２６及び第１，第２のグランド電極３７，３８を備えていなくともよい。この場合、誘電体層２２を介して互いに対向するコンデンサ電極３９と第１のグランド電極３３の領域Ｂに相当する部分とによって、コンデンサ成分が構成されている。誘電体層２２を介して互いに対向するコンデンサ電極４０と第２のグランド電極３４の領域Ｄに相当する部分とによって、コンデンサ成分が構成されている。
【００６１】
（第２の実施形態）
上記実施形態では、コンデンサ電極３１，３２，３９，４０を備える場合について説明したが、本発明に係る貫通コンデンサアレイは、これらのコンデンサ電極３１，３２，３９，４０を備えていなくともよい。このような第２の実施形態に係る貫通コンデンサアレイについて説明する。図６は、第２の実施形態に係る貫通コンデンサアレイに含まれる誘電体素体及びその内部に形成された電極の構成を示す模式図である。
【００６２】
第２の実施形態に係る貫通コンデンサアレイ５１は、上記貫通コンデンサアレイ１と同様な第１のグランド電極３３，３７、第２のグランド電極３４，３８、第１の信号電極３５、第２の信号電極３６、第１のグランド端子電極３、第１の信号端子電極４ａ，４ｂ、第２のグランド端子電極５、及び第２の信号端子電極６ａ，６ｂを備える。貫通コンデンサアレイ５１は、誘電体素体５２を有し、誘電体素体５２は、上記誘電体層２１，２３〜２５，２７を含んで構成される。
【００６３】
図７は、第２の実施形態に係る貫通コンデンサアレイの等価回路図である。図７に示すように、貫通コンデンサアレイ１と同様に、第１の信号電極３５によって、抵抗成分Ｒ１が構成されている。第２の信号電極３６によって、抵抗成分Ｒ２が構成されている。
【００６４】
第２の実施形態に係る貫通コンデンサアレイ５１においても、第１のグランド端子電極３を介して第１のグランド電極３３，３７がグランドと電気的に接続されることにより、第１のグランド電極３３，３７と対向して配置された第１の信号電極３５を流れる信号のノイズを除去する。同様に、第２のグランド端子電極５を介して第２のグランド電極３４，３８がグランドと電気的に接続されることにより、第２のグランド電極３４，３８と対向して配置された第２の信号電極３６を流れる信号のノイズを除去する。そして、第１の信号電極３５と第２のグランド電極３４，３８とは上述した対向方向において互いに重ならないように配置され、第２の信号電極３６と第１のグランド電極３３，３７とは上述した対向方向において互いに重ならないように配置されているので、第１又は第２のグランド電極３３，３４，３７，３８を介して、第１の信号電極３５と第２の信号電極３６との間に発生するクロストークを低減できる。
【００６５】
（第３の実施形態）
上記実施形態では、第１及び第２のグランド電極３３，３４，３７，３８にはそれぞれ１つの引き出し部３３ａ，３４ａ，３７ａ，３８ａを備える場合について説明したが、本発明に係る貫通コンデンサアレイでは、第１又は第２のグランド電極がそれぞれ有する引き出し部は、複数あってもよい。このような第３の実施形態に係る貫通コンデンサアレイについて説明する。図８は、第３の実施形態に係る貫通コンデンサアレイを示す概略斜視図である。図９は、第３の実施形態に係る貫通コンデンサアレイに含まれる誘電体素体及びその内部に形成された電極の構成を示す模式図である。
【００６６】
第３の実施形態に係る貫通コンデンサアレイ６１は、それぞれ２つの引き出し部が形成された第１及び第２のグランド電極４１〜４４を備える。また、貫通コンデンサアレイ６１は、上述した第１及び第２のグランド端子電極３，５に替えて、第１及び第２のグランド電極４１〜４４の２つの引き出し部に電気的且つ物理的に接続されている２つの第１のグランド端子電極３ａ，３ｂ及び２つの第２のグランド端子電極５ａ，５ｂを備える。
【００６７】
図-８に示すように、第１のグランド端子電極３ａ，３ｂは、側面２ｄにおいて２つの第１の信号端子電極４ａ，４ｂの間に互いに絶縁されて形成され、主面２ａと主面２ｂとが対向する方向に延びて主面２ａ及び主面２ｂまではみ出るように形成されている。第２のグランド端子電極５ａ，５ｂは、側面２ｃにおいて２つの第２の信号端子電極６ａ，６ｂの間に互いに絶縁されて形成され、主面２ａと主面２ｂとが対向する方向に延びて主面２ａ及び主面２ｂまではみ出るように形成されている。
【００６８】
図９に示すように、第１のグランド電極４１は、誘電体層２３の領域Ａ及びＢにおいて長方形状に形成されている。第１のグランド電極４１は、側面２ｄ側の中央付近から側面２ｄに引き出された２つの引き出し部４１ａ，４１ｂを有する。引き出し部４１ａが第１のグランド端子電極３ａと電気的且つ物理的に接続され、引き出し部４１ｂが第１のグランド端子電極３ｂと電気的且つ物理的に接続されることにより、第１のグランド電極４１は、第１のグランド端子電極３ａ，３ｂと電気的且つ物理的に接続されている。
【００６９】
第２のグランド電極４２は、誘電体層２３の領域Ｃ及びＤにおいて長方形状に形成されている。第２のグランド電極４２は、側面２ｃ側の中央付近から側面２ｃに引き出された２つの引き出し部４２ａ，４２ｂを有する。引き出し部４２ａが第２のグランド端子電極５ａと電気的且つ物理的に接続され、引き出し部４２ｂが第２のグランド端子電極５ｂと電気的且つ物理的に接続されることにより、第２のグランド電極４２は、第２のグランド端子電極５ａ，５ｂと電気的且つ物理的に接続されている。
【００７０】
第１のグランド電極４３は、誘電体層２５の領域Ａ及びＢにおいて長方形状に形成されている。第１のグランド電極４３は、側面２ｄ側の中央付近から側面２ｄに引き出された２つの引き出し部４３ａ，４３ｂを有する。引き出し部４３ａが第１のグランド端子電極３ａと電気的且つ物理的に接続され、引き出し部４３ｂが第１のグランド端子電極３ｂと電気的且つ物理的に接続されることにより、第１のグランド電極４３は、第１のグランド端子電極３ａ，３ｂと電気的且つ物理的に接続されている。
【００７１】
第２のグランド電極４４は、誘電体層２５の領域Ｃ及びＤにおいて長方形状に形成されている。第２のグランド電極４４は、側面２ｃ側の中央付近から側面２ｃに引き出された２つの引き出し部４４ａ，４４ｂを有する。引き出し部４４ａが第２のグランド端子電極５ａと電気的且つ物理的に接続され、引き出し部４４ｂが第２のグランド端子電極５ｂと電気的且つ物理的に接続されることにより、第２のグランド電極４４は、第２のグランド端子電極５ａ，５ｂと電気的且つ物理的に接続されている。
【００７２】
第３の実施形態に係る貫通コンデンサアレイ６１は、他に上述した誘電体素体２、第１及び第２の信号端子電極４ａ，４ｂ、６ａ，６ｂ、コンデンサ電極３１，３２，３９，４０、第１及び第２の信号電極３５，３６を備えて構成される。
【００７３】
第１のグランド電極４１は、誘電体層２２を介してコンデンサ電極３１と互いに重なり合う部分４１ｃを有する。第２のグランド電極４２は、誘電体層２２を介してコンデンサ電極３２と互いに重なり合う部分４２ｃを有する。第１のグランド電極４３は、誘電体層２５を介してコンデンサ電極３９と互いに重なり合う部分４３ｃを有する。第２のグランド電極４４は、誘電体層３９を介してコンデンサ電極４０と互いに重なり合う部分４４ｃを有する。
【００７４】
誘電体層２２を介して互いに対向するコンデンサ電極３１と第１のグランド電極４１の部分４１ｃとによって、コンデンサ成分Ｃ１が構成されている。誘電体層２２を介して互いに対向するコンデンサ電極３２と第２のグランド電極４２の部分４２ｃとによって、コンデンサ成分Ｃ２が構成されている。誘電体層２５を介して互いに対向するコンデンサ電極３９と第１のグランド電極４３の部分４３ｃとによって、コンデンサ成分Ｃ３が構成されている。誘電体層２５を介して互いに対向するコンデンサ電極４０と第２のグランド電極４４の部分４４ｃとによって、コンデンサ成分Ｃ４が構成されている。
【００７５】
このように構成された貫通コンデンサアレイ６１は、図１０に示すＲＣ回路を構成する。図１０は、第３の実施形態に係る貫通コンデンサアレイの等価回路図である。コンデンサ成分Ｃ１及びコンデンサ成分Ｃ３は、抵抗成分Ｒ１と並列接続され、コンデンサ成分Ｃ２及びコンデンサ成分Ｃ４は、抵抗成分Ｒ２と並列接続されている。
【００７６】
以上説明した第３の実施形態に係る貫通コンデンサアレイ６１では、第１のグランド電極４１，４３と第２のグランド電極４２，４４とが、対応する第１のグランド端子電極３又は第２のグランド端子電極５と電気的且つ物理的にそれぞれ接続する２つの引き出し部４１ａ〜４４ａ，４１ｂ〜４４ｂを有する。これにより、第１又は第２のグランド端子電極３，５へ流れる電流を２つの引き出し部４１ａ〜４４ａ，４１ｂ〜４４ｂに分割して流すことができるので、引き出し部に発生する寄生インダクタンスを低減することができる。
【００７７】
なお、上記第３の実施形態においては、第１及び第２のグランド端子電極をそれぞれ２つとしたが、それぞれ１つであってもよい。その場合、第１のグランド電極４１，４３の引き出し部４１ａ，４１ｂ，４３ａ，４３ｂが１つの第１のグランド端子電極と電気的且つ物理的に接続され、第２のグランド電極４２，４４の引き出し部４２ａ，４２ｂ，４４ａ，４４ｂが１つの第２のグランド端子電極と電気的且つ物理的に接続される。
【００７８】
貫通コンデンサアレイ６１は、図１１に示すように、コンデンサ電極３９，４０が誘電体層２２の領域Ｂ，Ｄにそれぞれ形成され、誘電体層２５，２６及び第１，第２のグランド電極３７，３８を備えていなくともよい。この場合、誘電体層２２を介して互いに対向するコンデンサ電極３９と第１のグランド電極４１の領域Ｂに相当する部分とによって、コンデンサ成分が構成されている。誘電体層２２を介して互いに対向するコンデンサ電極４０と第２のグランド電極４２の領域Ｄに相当する部分とによって、コンデンサ成分が構成されている。
【００７９】
上記第１〜第３の実施形態において、第１の信号端子電極及び第２の信号端子電極はそれぞれ２つとしたが、３つ以上あってもよい。その場合、第１の信号端子電極及び第２の信号端子電極の数に対応して、第１の信号電極及び第２の信号電極に引き出し部が形成されることが好ましい。
【図面の簡単な説明】
【００８０】
【図１】第１の実施形態に係る貫通コンデンサアレイを示す概略斜視図である。
【図２】第１の実施形態に係る貫通コンデンサアレイに含まれる誘電体素体及びその内部に形成された電極の構成を示す模式図である。
【図３】第１の実施形態に係る貫通コンデンサアレイの等価回路図である。
【図４】第１の実施形態に係る貫通コンデンサアレイの減衰特性を示すグラフである。
【図５】第１の実施形態の変形例に係る貫通コンデンサアレイに含まれる誘電体素体及びその内部に形成された電極の構成を示す模式図である。
【図６】第２の実施形態に係る貫通コンデンサアレイに含まれる誘電体素体及びその内部に形成された電極の構成を示す模式図である。
【図７】第２の実施形態に係る貫通コンデンサアレイの等価回路図である。
【図８】第３の実施形態に係る貫通コンデンサアレイを示す概略斜視図である。
【図９】第３の実施形態に係る貫通コンデンサアレイに含まれる誘電体素体及びその内部に形成された電極の構成を示す模式図である。
【図１０】第３の実施形態に係る貫通コンデンサアレイの等価回路図である。
【図１１】第３の実施形態の変形例に係る貫通コンデンサアレイに含まれる誘電体素体及びその内部に形成された電極の構成を示す模式図である。
【符号の説明】
【００８１】
２１〜２７…誘電体層、１，５１，６１…貫通コンデンサアレイ、２，５２…誘電体素体、３，３ａ，３ｂ…第１のグランド端子電極、４ａ，４ｂ…第１の信号端子電極、５，５ａ，５ｂ…第２のグランド端子電極、６ａ，６ｂ…第２の信号端子電極、３１，３２，３９，４０…コンデンサ電極、３３，３７，４１，４３…第１のグランド電極、３３ａ，３４ａ，３７ａ，３８ａ，３５ａ，３５ｂ，３６ａ，３６ｂ，４１ａ〜４４ａ，４１ｂ〜４４ｂ…引き出し部、３４，３８，４２，４４…第２のグランド電極、３５…第１の信号電極、３６…第２の信号電極。
【図１】
2008147581.tif 000003
【図２】
2008147581.tif 000004
【図３】
2008147581.tif 000005
【図４】
2008147581.tif 000006
【図５】
2008147581.tif 000007
【図６】
2008147581.tif 000008
【図７】
2008147581.tif 000009
【図８】
2008147581.tif 000010
【図９】
2008147581.tif 000011
【図１０】
2008147581.tif 000012
【図１１】
2008147581.tif 000013